(57)【要約】改善されたページング方法および装置が記載される。ページについてのページング要件は、ページング情報から決定される。ページング要件としては、例えば、伝送遅延制約条件、ページングリソース要件、ページが確認されるべきかどうか、サービス品質情報等が含まれ得る。ページング要件を決定するノードによりページが生成されて伝送される。他の実施形態においては、ページング要求情報は、メッセージ中で、ページング伝送リソース割り当ておよび／またはページの実際の伝送を担当するノードに伝達される。本発明の方法および装置は、ページが、ページの特定の要求に従って区別して取り扱われることを可能にする。ページについて異なるサービス品質レベルを維持でき、より低いページＱｏＳレベルに対応するページと比較して、より高いＱｏＳを有するページにはリソース割り当て優先権および／またはスケジューリング優先権が与えられる。
2006519557.tif 000002
【特許請求の範囲】
【請求項１】
通信システムにおいてページング情報を処理する方法であって、
前記ページング情報を受信するために第１のノードを動作させるステップであり、前記ページング情報は、サービス品質インジケータ、タイプインジケータ、ソースインジケータ、および宛先インジケータのうちの少なくとも１つを含むステップと、
前記受信されたページング情報からページング要件を決定するために第１のノードを動作させるステップであり、前記ページング要件は、サービス品質インジケータ、タイプインジケータ、ソースインジケータ、および宛先インジケータのうちの前記少なくとも１つの関数として決定されるステップとを含む方法。
【請求項２】
決定されたページング要件の関数としてページを伝送するためにページング伝送リソースを割り当てるために前記第１のノードを動作させるステップをさらに含む請求項１に記載の方法。
【請求項３】
割り当てられたページング伝送リソースを用いてページを伝送するために前記第１のノードを動作させるステップをさらに含む請求項２に記載の方法。
【請求項４】
ページを伝送する前記ステップは、前記ページ中に、デバイス動作の状態を示す情報を組み入れることを含み、前記ページが送り出されるデバイスは、前記ページの受信後に動作することになる前記請求項３に記載の方法。
【請求項５】
前記受信されたページング情報に対応するページを伝送する際に使用するためのページング伝送リソースの割り当てを示すページング信号を第２のノードに通信するために前記第１のノードを動作させるステップをさらに含む請求項２に記載の方法。
【請求項６】
前記決定されたページング要件を第２のノードに、ページング要求メッセージ中で通信するために前記第１のノードを動作させるステップをさらに含む請求項１に記載の方法。
【請求項７】
前記ページ要求メッセージは、前記受信されたページング情報の少なくとも一部分を含む請求項６に記載の方法。
【請求項８】
前記ページング要求メッセージ中で示される前記決定されたページング要件は、前記一部分がページ中に含まれるべきというものである請求項７に記載の方法。
【請求項９】
前記ページング要求メッセージ中で示される前記決定されたページング要件は、ページが確認されるべきというものである請求項６に記載の方法。
【請求項１０】
前記ページング要求メッセージ中で示される前記決定されたページング要件は、サービス品質である請求項６に記載の方法。
【請求項１１】
前記サービス品質は、ページ伝送タイミング制約条件を含む請求項１０に記載の方法。
【請求項１２】
前記サービス品質は、複数のレベルのうちの１つである請求項１０に記載の方法。
【請求項１３】
前記サービス品質は、ページが複数回伝送されることを要求する請求項１０に記載の方法。
【請求項１４】
前記サービス品質は、確認がない場合に、ページの再送を少なくとも１回要求する請求項１０に記載の方法。
【請求項１５】
前記ページの前記再送が、前記ページの初期伝送エリアよりも大きい地理的エリアへなされるようにするために第２のノードを動作させるステップをさらに含む請求項１４に記載の方法。
【請求項１６】
前記ページング要求メッセージ中で示される前記決定されたページング要件は、サービス品質レベルであり、
前記ページ要求メッセージは、前記サービス品質レベルを有するページに前記第２のノードにより割り当てられるべきページングリソースのフラクションを示すページングリソース割り当て情報を含み、
前記ページングリソースの前記フラクションを、前記ページング要求メッセージ中で示されるサービス品質レベルを有するページに割り当てるために第２のノードを動作させるステップをさらに含む請求項６に記載の方法。
【請求項１７】
前記ページング要求メッセージ中で示される前記決定されたページング要件の関数としてページを伝送するためのページング伝送リソースを割り当てるために前記第２のノードを動作させるステップをさらに含む請求項６に記載の方法。
【請求項１８】
割り当てられたページング伝送リソースを用いてページを伝送するために前記第２のノードを動作させるステップをさらに含む請求項１７に記載の方法。
【請求項１９】
前記ページング情報に対応するページの伝送の際に用いるページング伝送リソースの割り当てを示すページング信号を第３のノードに通信するために前記第２のノードを動作させるステップをさらに含む請求項１７に記載の方法。
【請求項２０】
機械可読媒体であって、その上に格納されたページング要求メッセージの形式のデータ構造を含み、前記ページング要求メッセージが、
ソースノード識別子と、
宛先ノード識別子と、
ページングメッセージ要件情報とを含む機械可読媒体。
【請求項２１】
前記ページング要求メッセージは、
１つのページ中で伝送されるべき情報を含むページングメッセージペイロードをさらに含む請求項２０に記載の機械可読媒体。
【請求項２２】
前記ページングメッセージ要件情報は、
１つのページに対する確認が必要とされているかどうかを示す情報を含む請求項２０に記載の機械可読媒体。
【請求項２３】
前記ページングメッセージ要件情報は、
ページ確認が受信されない場合になされるべき再送数を示す情報を含む請求項２２に記載の機械可読媒体。
【請求項２４】
前記ページングメッセージ要件情報は、
ページ伝送サービス品質情報を含む請求項２２に記載の機械可読媒体。
【請求項２５】
前記ページングメッセージ要件情報は、
ページ伝送タイミング制約条件情報を含む請求項２２に記載の機械可読媒体。
【請求項２６】
前記ページングメッセージ要件情報は、符号化型式で格納され、少なくともページ伝送サービス品質情報およびページ伝送タイミング制約条約情報を含む請求項２２に記載の機械可読媒体。
【請求項２７】
通信システムは第１のノードを備え、
前記第１のノードは、
ｉ）  サービス品質インジケータ、タイプインジケータ、ソースインジケータ、および宛先インジケータのうちの少なくとも１つを含むページング情報を受信するための手段と、
ｉｉ）  前記受信されたページング情報から、サービス品質インジケータ、タイプインジケータ、ソースインジケータ、および宛先インジケータのうちの前記少なくとも１つの関数として決定されるページング要件を決定するための手段と
を含む第１のノードを備えるシステム。
【請求項２８】
前記第１のノードは、
決定されたページング要件の関数としてページを伝送するためのページング伝送リソースを割り当てるための手段をさらに含む請求項２７に記載のシステム。
【請求項２９】
前記第１のノードは、割り当てられたページング伝送リソースを用いてページを伝送するための無線送信機をさらに含む請求項２８に記載のシステム。
【請求項３０】
前記第１のノードは、
前記決定されたページング要件を示す情報を含むページング要求メッセージを生成させるための手段と、
前記ページング要求メッセージを別のノードに伝送するための手段と
をさらに含む請求項２９に記載のシステム。
【請求項３１】
前記ページ要求メッセージは、前記受信されたページング情報の少なくとも一部分を含み、前記ページング要求メッセージ中で示される前記決定されたページング要件は、前記一部分が１つのページ中に含まれるべきというものである請求項３０に記載のシステム。
【請求項３２】
前記ページング要求メッセージ中で示される前記決定されたページング要件は、ページが確認されるべきというものである請求項３０に記載のシステム。
【請求項３３】
前記ページング要求メッセージ中で示される前記決定されたページング要件は、サービス品質要件である請求項３０に記載のシステム。
【請求項３４】
さらに第２のノードを含み、該第２のノードは、
ｉ）  前記ページング要求メッセージを受信するための手段と、
ｉｉ）  受信されたページング要求メッセージ中に含まれるページング要件情報の関数として少なくとも１つのページングリソースを割り当てるための手段と、
ｉｉｉ）  少なくとも１つの割り当てられたページングリソースを用いてページを移動体ノードに伝送するための手段と
を含む請求項３０に記載のシステム。
【発明の詳細な説明】
【関連出願についての記載】
【０００１】
本願は、「ワイヤレス通信ネットワークにおける移動デバイスのロケーショントラッキングおよびページングのための方法および装置」と表題を付けられた米国仮出願第６０／４４６，３２７号（２００３年２月１０日出願）の利益を主張し、米国特許出願第１０／６４０，９６１号（２００３年８月１３日出願）の一部継続であり、これによって両方とも参照により明白に組み入れられる。
【技術分野】
【０００２】
本発明は、通信システムに関し、より具体的には、ワイヤレス、例えば、セルラー通信ネットワークにおけるページングのための方法および装置に関する。
【背景技術】
【０００３】
代表的なセルラー通信ネットワークにおいて、一組の地理的に分散された基地局が、通信インフラストラクチャーへのワイヤレスアクセスを提供する。ワイヤレス通信デバイス、または端末を持つユーザーは、適切な基地局と直接的な通信リンクを確立し、次に通信ネットワーク全体を通して他のユーザーおよび／またはエンドシステムと情報を交換できる。一般に、そのようなシステムは、各種の様々なアプリケーション（例えば、電話、テキストメッセージング、ストリーミングオーディオ／ビデオ、ウェブブラウジング、ファイル転送等）をサポートできるであろうが、伝統的なシステムは、主に電話用にデザインされてきた。アクセスリンク上で交換される情報としては、ユーザーデータならびに、アクセスリンク自体をサポートし、伝送を調整し、移動性を可能にし、多くの他のそのような特徴を提供するための制御シグナリングが含まれる。
【０００４】
一般的には、セルラー通信システムのユーザーは、能動的な情報交換に継続的に関与していない（例えば、エンドユーザーが通信セッションに加わらないかなりの期間があり得る）。ロケーショントラッキングおよびページングシステムは、不活動期間の間、受信可到達性を依然として維持する一方で、電力消費量を低減し動作寿命を最大化するためにワイヤレス端末が待機モードに移行できるようにする。待機モードで動作している間、ワイヤレス端末は、到来する通信セッションの確立を可能にするために、特別なページングチャネルを依然として周期的に監視し得る。従って、ページシグナリングは一般的に、待機中のワイヤレス端末に到来する通信セッションを通知するために用いられる。一般に、ページシグナリングは、ワイヤレス端末が待機モードに移行したまたはそのロケーションを最後に報告したところに地理的に近い１つ以上の基地局のサブセットを含む特定のロケーションエリア（またはページングエリア）に送り出され得る。
【０００５】
伝統的な回線交換セルラーネットワークのページング機構は、主に音声電話用にデザインされている。しかしながら、回線交換セルラーネットワーク技術は目下、データアプリケーションもサポートするように拡張されている。加えて、パケット交換セルラーネットワーク技術が登場しつつあり、これは、インスタントメッセージングおよびオンラインゲーミングなどの双方向データアプリケーションを含む広範囲のアプリケーションをサポートするのにより適している。異なる要件を持つ広範囲の多様なアプリケーションをサポートするためにセルラーネットワーク技術が進化するにつれ、ページングサービスにおける差別化を可能にする新しいページング機構が望ましいであろう。従って、異なるページを異なるサービス品質レベルを有しているとして扱うことおよび／または異なるタイプの年齢のための異なるページング要件をサポートするなどの機能性を提供できる方法が必要である。
【０００６】
上記の議論を考慮して、ページングのための改善された方法および装置が必要であることは明らかである。
【発明の開示】
【課題を解決するための手段】
【０００７】
本発明は、ページの区別的取り扱いを考慮する改善されたページング方法および装置を対象とする。この能力は、異なるページに異なるサービス品質レベルを提供するために用い得る。例えば、音声呼出し用ページには、テキストメッセージ用ページよりも高い優先順位を与え得る。また、サービスにプレミアムを支払っている顧客には、プレミアムサービスに加入しない顧客と比較して、彼らのページについてリソース割り当て優先権を与え得る。
【０００８】
本発明に従って、ページング情報は、送信されることになっているページについての要件を決定するために処理される。ページング情報は、ページ中に組み入れられるべき情報を含むパケットとすることができる。また、ページング情報は、信号、例えば、ページをトリガするために用いられる制御信号とすることができる。
【０００９】
あるページについてのページング要件は、ページング要求情報から決定される。ページング要件としては、例えば、伝送遅延制約条件、ページングリソース要件、ページが確認されるべきかどうか、サービス品質情報等が含まれ得る。あるページが最初に再送されることになる地理的領域は、ページング要件の別の例である。ページが再送されることになる地理的領域、例えば、そのページが当初に伝送されることになる領域とは異なる領域も、要件として決定され得る。
【００１０】
ページング要件情報は、そのページングシステムがどのように実施されるかに応じて様々な方法で用い得る。１つの実施形態においては、本発明の通信ネットワークの端縁におけるネットワークノード、例えば、アクセスノードは、ページング要件の決定、決定されたページング要件に応じたページのためのリソースの割り当て、ならびに決定された要件および割り当てられたページングリソースに従うページの伝送を担当する。
【００１１】
他の実施形態においては、ページング要件決定機能は、リソース割り当ておよびページ伝送機能とは異なるノードにより実行される。そのような実施形態においては、受信されたページング情報からページング要求を決定するノードは、本発明に従って、新しいページ要求メッセージを生成し、そのページ要求メッセージを、ページングリソース割り当ての実行を担当するノードまたは要素に伝達する。本発明の新しいページ要求メッセージとしては、決定されたページ要件および、多くの場合、指示された要件を有するページ中で伝送されるべき情報が含まれる。伝送されるべき情報は通常、ページ要件がそこから決定されたページ情報の一部分である。本発明のページ要求メッセージは、本発明の新しいメッセージを生成、伝送および／または処理するノードにおいて、メモリー中に格納、例えば、バッファされる。
【００１２】
例えば、決定されたページ要件情報の関数として、ページ伝送リソースを割り当てた後、ページは、例えば、各ページの個別の要件に従ってスケジューリングおよび伝送される。本発明の技法は、異なるページが異なって取り扱われることを可能にし、それによって、ページ伝送についてのサービス品質ＱｏＳの異なるレベルがサポートされ得る機構を提供する。これにより、伝送リソース割り当ておよび／またはあるページが伝送される領域、ページ確認のための要件等のような他のページ関連要件の点で全てのページが同じに取り扱われるシステムと比較してかなりの優位性がもたらされる。種々の実施形態において、ページ要件は、ページの受信に応じて移動ノードにより取られるべきアクションを指定する。ページ確認が１つの例であるのに対して、特定の動作モードへの変化、例えば、１つのより低い動作電力状態から、全開状態の代わりに別の低い動作電力状態への変更は、ページ要件として指定し得る。そのような場合、ページ要件は、決定されたページ要件情報の関数として生成される実際のページメッセージ中に組み入れられることが多い。
【００１３】
本発明の方法および装置は、ページの特定の要件に従ってページが区別して取り扱われることを可能にする。異なるサービス品質レベルはページについて維持されることができ、より高いＱｏＳが割り当てられたページには、ページングＱｏＳのより低いレベルに対応するページと比較して、リソース割り当て優先権および／またはスケジューリング優先権が与えられる。
【００１４】
従って、本発明は、新規なページング方法および装置、ならびにページ要件を単独でまたはページ中で伝送されるべき情報と共に伝達するための新しくかつ効率的なメッセージを提供する。本発明の方法および装置の多くの付加的な特徴、利点および応用例を以下の詳細な説明において論じる。
【発明を実施するための最良の形態】
【００１５】
図１は、典型的な通信システム１００、例えば、セルラー通信ネットワークを例示するものであり、このネットワークは通信リンクにより相互接続された複数のノードを含む。典型的な通信システム１００中のノードは、通信プロトコル、例えば、インターネットプロトコル（ＩＰ）に基づいて、信号、例えば、メッセージを用いて情報を交換することができる。典型的なシステム１００の通信リンクは、例えば、電線、光ファイバーケーブル、および／またはワイヤレス通信技法を用いて実施し得る。典型的な通信システム１００は、複数のエンドノード１４４、１４６、１５４、１５６を含んでおり、これらは、複数のアクセスノード１４０、１５０を介して通信システムにアクセスする。エンドノード１４４、１４６、１５４、１５６は、例えば、ワイヤレス通信デバイスまたは端末とすることができ、アクセスノード１４０、１５０は、例えば、ワイヤレスアクセスルータまたは基地局とすることができる。典型的な通信システム１００は、相互接続性を提供するため、または特定のサービスもしくは機能を提供するために必要とされることがある多くの他のノードも含む。具体的には、典型的な通信システム１００は、セッションシグナリングサーバーノード１０６、例えば、エンドノード間の通信セッションの確立および保守をサポートするために必要とされるようなセッション開始プロトコル（ＳＩＰ）プロキシサーバー、ならびに移動エージェントノード１０８、例えば、アクセスノード間のエンドノード移動性をサポートするために必要とされるような移動体ＩＰホームエージェントノードを含む。
【００１６】
図１の典型的な通信システム１００は、セッションシグナリングサーバーノード１０６と移動エージェントノード１０８とを含むネットワーク１０２を含んでおり、セッションシグナリングサーバーノードと移動エージェントノードは各々、対応するネットワークリンク１０７、１０９により中間ネットワークノード１１０にそれぞれ接続されている。典型的なシステム１００は、いくつかの実施形態においては含まれるページングノード１０４も示しているが、これはページングシステムデザインおよびアーキテクチャによっては他の実施形態では含まれず、その場合には、ページングノード１０４は、もし存在すれば、対応するネットワークリンク１０５により中間ネットワークノード１１０に接続される。ページングノード１０４および関連したネットワークリンク１０５は、いくつかの実施形態では含まれるが他の実施形態では含まれないことを強調するために、鎖線で図示してある。ネットワーク１０２における中間ネットワークノード１１０は、ネットワーク１０２の全体像の外部にあるネットワークノードへの相互接続性もネットワークリンク１１１を介して提供する。ネットワークリンク１１１は、別の中間ネットワークノード１１２に接続されており、この中間ネットワークノードは、複数のアクセスノード１４０、１５０へのさらなる接続性をそれぞれネットワークリンク１４１、１５１を介して提供する。
【００１７】
典型的なシステム１００は、ネットワーク１６０の一部である一組のアクセスノード１３４、１３６、１３８および関連したページングノード１３０を含んでおり、このネットワーク１６０は、統合通信システム１００においては、他のノードの通信技術、例えば、パケット交換式とは異なる通信技術、例えば、回線交換式を主として用いる。異なる技術のネットワーク１６０の各アクセスノード１３４、１３６、１３８は、対応するネットワークリンク１３５、１３７、１３９によりそれぞれページングノード１３０に接続される一方、異なる技術のネットワーク１６０のページングノード１３０は、ネットワークリンク１３１を介して、統合通信システム１００の中間ノード１１２に相互接続される。本発明のいくつかの実施形態が、異なる通信技術の複数のネットワークを統合する通信システム１００において動作する一方、他の実施形態はそうではないことを強調するために、異なる技術のネットワーク１０６および相互接続ネットワークリンク１３１は、鎖線で図示してある。
【００１８】
典型的な通信システム１００におけるいくつかのアクセスノード１４０、１５０は、それぞれ対応するアクセスリンク（１４５、１４７）、（１５５、１５７）を介して、複数のＮ個のエンドノード（１４４、１４６）、（１５４、１５６）への接続性を提供するものとして図示してある。明示的に図示してはないが、典型的な通信システム１００における他のアクセスノード１３４、１３６、１３８は、エンドノードへの接続性を提供するための同様な機能を含む。典型的な通信システム１００において、各アクセスノード１３４、１３６、１３８、１４０、１５０は、アクセスを提供するために、ワイヤレス技術、例えば、ワイヤレスアクセスリンクを用いるとして図示してある。無線網羅エリア、例えば、各アクセスノード１３４、１３６、１３８、１４０、１５０の通信セル１６４、１６６、１６８、１４８、１５８はそれぞれ、対応するアクセスノードを取り囲んでいる円として例示してある。
【００１９】
典型的な通信システム１００は、本発明の様々な実施形態の説明のための基礎として引き続き用いられる。本発明の別の実施形態は、様々なネットワーク配置を含み、その場合に、ネットワークノードの数およびタイプ、リンクの数およびタイプ、ならびにノード間の相互接続性は、図１に図示される典型的な通信システム１００のそれらとは異なり得る。
【００２０】
本発明に従って、典型的なシステム１００にける区別されたページングのためのサポートは、例えば、１つ以上のモジュールにおいて実行し得る以下の機能エンティティにより可能になる。
【００２１】
１．  ページング要件決定（ＰＲＤ）：ＰＲＤ機能エンティティは、受信されたページング情報、例えば、特定の待機中エンドノードがページングされるべきであることを示す受信されたデータメッセージまたは制御信号を分析し、対応するページの要件、例えば、ページング動作および／またはシグナリングを決定する。
【００２２】
２．  ページングリソース制御（ＰＲＣ）：ＰＲＣ機能エンティティは、ＰＲＤ機能エンティティによって決定されるようなページの要件に従って、１つ以上のページングリソースを制御し、ページング動作を実行し（例えば、ページングリソースを割り当てる）、および／またはページシグナリングを送信する。
【００２３】
本発明の様々な実施形態において、これらの機能エンティティは、別個のモジュールにおいて実施したり単一のモジュールにおいて組み合わせたりできる。さらに、様々な実施形態において、例えば、ページングシステムデザインに応じて、これらの機能エンティティは、異なるネットワークノードに配置したり、いくつかのネットワークノードに共に配置したりできる。両方の機能エンティティが１つの所与のネットワークノード中に共に配置される実施形態においては、個々の機能エンティティは、動作モードによっては、例えば、選択的に実行可能／実行不能にされたり未使用のままであり得る。
【００２４】
集中化ページングシステムデザインにおいて、ＰＲＤ機能およびＰＲＣ機能双方は、ネットワークインフラストラクチャーのコアの中心に配置し得る。部分的に分布されたページングシステムデザインにおいて、ＰＲＤ機能は、ネットワークのコアの中心に配置し得る一方、ＰＲＣ機能は、ネットワークインフラストラクチャーの端縁またはその近く、例えば、無線アクセスネットワークノードまたはアクセスノードに配置し得る。いっそう分布されたページングシステムデザインにおいては、ＰＲＤ機能およびＰＲＣ機能双方は、ネットワークインフラストラクチャーの端縁、例えば、アクセスノードに配置し得る。本発明の様々な実施形態において、単一のＰＲＣ機能エンティティは、ＰＲＣ機能エンティティのローカルな範囲内にあるように定義された複数のアクセスノード／セル／セクタをサポートし得る。
【００２５】
本発明に従って、典型的なシステム１００におけるエンドノードのロケーショントラッキングおよびページングについてのサポートは、例えば、１つ以上のモジュールにおいて実施し得る以下の機能エンティティによってさらに可能になる。
【００２６】
１．  モニタリングエージェント（ＭＡ）：ＭＡは、到来するページング情報、例えば、待機エンドノードについてのメッセージを受信し、そのエンドノードについてページングが開始されるべきかどうかを決定する。
【００２７】
２．  トラッキングエージェント（ＴＡ）：ＴＡは、ロケーション更新信号、例えば、待機エンドノードのロケーション、例えば、現在のロケーション／ページングエリア、アクセスノード、セルおよび／またはセクタを追跡するためのメッセージを受信する。ＴＡにより維持されるロケーション更新周波数およびロケーショントラッキング情報の精度は、実施依存性である。
【００２８】
３．  アンカーページングエージェント（ＡＰＡ）：ＡＰＡは、ページ要求シグナリングを調整、例えば、待機エンドノードについてページ要求メッセージを送信する。典型的には、ＡＰＡは、ＭＡからのトリガー信号に応答してページ要求シグナリングを開始し、ＴＡにより維持されるトラッキング情報に基づいてページ信号を他のネットワークノード、例えば、アクセスノードに向けて送り出す。
【００２９】
４．  ローカルページングエージェント（ＬＰＡ）：ＬＰＡは、他の機能エンティティ、例えば、エンドノード、ＴＡおよび／またはＡＰＡの間のシグナリングを調整する。典型的には、ＬＰＡは、関連した範囲（例えば、１つ以上のアクセスノードおよびそれらのアクセスノードの受信可能範囲内のエンドノードの組を含むロケーションエリア）内のエンティティと、その範囲の外に配置され得る他の機能エンティティ（例えば、ＴＡおよび／またはＡＰＡ）との間のシグナリングを調整する。
【００３０】
本発明の様々な実施形態において、これらの機能エンティティのいくつかを省略または組み合わせることができる。ネットワーク内および／または特定ネットワークノード内のこれらの機能エンティティのロケーションまたは配置は、異なる実施形態において変更することもできる。
【００３１】
一般に、ＭＡ、ＴＡ、およびＡＰＡは、緊密に関連しており、ロケーショントラッキングおよびページングを可能にするために待機エンドノードについての状態情報を共同で維持する。従って、これら３つの機能は、同じノード内または配置的に互いに近接するノード中に一緒に配列されることが多い。本発明は、集中化ページングシステムデザインおよびこれらの機能がネットワークインフラストラクチャーの端縁またはその近くに、例えばアクセスノード中に配置されるより分布されたデザイン双方をサポートする。ＬＰＡは本質的に、他の機能エンティティ、例えば、その現在のロケーション（例えば、その現在のロケーション／ページングエリア、アクセスノード、セルおよび／またはセクタ）と、（ネットワーク中の他の場所に配置し得る）待機エンドノードをサポートしているＭＡ／ＴＡ／ＡＰＡとの間のシグナリングを調整する役をする。従って、ＬＰＡ機能は典型的には、より分布され、ネットワークインフラストラクチャーの端縁またはその近くに、例えば、アクセスノード中に配置される。本発明の様々な実施形態において、単一のＬＰＡが、ＬＰＡのローカルな範囲内にあるように定義された複数のアクセスノード／セル／セクタをサポートし得る。
【００３２】
以下は、様々なページングシステムデザインをサポートする本発明の様々な典型的実施形態を説明するものである。
【００３３】
図２は、本発明に従って実現された典型的なアクセスノード３００の詳細な例示を提供する。図２に図示される典型的なアクセスノード３００は、アクセスノード、例えば、図１に図示される１４０、１５０として用い得る装置の詳細な表現である。図２の実施形態において、アクセスノード３００は、バス３０６によって一緒に連結されたプロセッサ３０４、ネットワーク／インターネットワークインタフェース３２０、ワイヤレス通信インタフェース３３０およびメモリー３１０を含んでいる。従って、バス３０６を介して、アクセスノード３００の様々な構成要素は、情報、信号およびデータを交換することができる。アクセスノード３００の構成要素３０４、３０６、３１０、３２０、３３０は、ハウジング３０２中に配置される。
【００３４】
ネットワーク／インターネットワークインタフェース３２０は、アクセスノード３００の内部構成要素が外部のデバイスおよびネットワークノードへ／から信号をそれにより送受信できる機構を提供する。ネットワーク／インターネットワークインタフェース３２０は、アクセスノード３００を、例えば、銅線または光ファイバー線を介して、他のネットワークノードに連結するために用いられる受信機回路３２２および送信機回路３２４を含んでいる。ワイヤレス通信インタフェース３３０も、アクセスノード３００の内部構成要素が外部のデバイスおよびネットワークノード、例えば、エンドノードへ／から信号を送受信できる機構を提供する。ワイヤレス通信インタフェース３３０は、例えば、ワイヤレス通信チャネルを介して、アクセスノード３００を他のネットワークノードに連結するために用いられる、例えば、対応する受信アンテナ３３６を持つレシーバー回路３３２および対応する送信アンテナ３３８を持つトランスミッター回路３３４を含んでいる。
【００３５】
種々のモジュール、例えば、メモリー３１０中に含まれるルーチンの制御下にあるプロセッサ３０４は、以下で論じられるように種々のシグナリングおよび処理を実行するためにアクセスノード３００の動作を制御する。メモリー３１０中に含まれるモジュールは、起動時または他のモジュールにより呼び出された時に実行される。モジュールは、実行された時にデータ、情報および信号を交換することができる。モジュールは、実行された時にデータおよび情報を共用することができる。図２の実施形態において、本発明のアクセスノード３００のメモリー３１０は、対応するＰＲＤデータ３４１を持つＰＲＤモジュール３４０および対応するＰＲＣデータ３５１を持つＰＲＣモジュール３５０を含む。ＰＲＤモジュール３４０は、ＭＡモジュール３１２、ＴＡモジュール３１４、ＡＰＡモジュール３１６を含むものとして図示されている一方、ＰＲＣモジュール３５０は、ＬＰＡモジュール３１８を含むものとして図示されている。これらのエージェントモジュールの各々に対応して、メモリー３１０は、ＭＡデータ３１３、ＴＡデータ３１５、ＡＰＡデータ３１７、およびＬＰＡデータ３１９も含む。
【００３６】
ＰＲＤモジュール３４０は、ＰＲＤ機能性をサポートするためにアクセスノード３００の動作を制御する。ＰＲＤモジュール３４０は、受信されたページング情報、例えば、特定の待機エンドノードがページングされるべきであることを示す受信されたデータメッセージまたは制御信号を分析し、対応するページの要件、例えば、ページング動作およびシグナリングを決定する。この要件決定ステップは、ページング情報に含まれるサービス品質インジケータ、タイプインジケータ、ソースインジケータおよび宛先インジケータのうちの少なくとも１つの関数である。いくつかの実施形態においては、これらのインジケータのうちの１つ以上は、受信されたページング情報、例えば、受信されたページングメッセージのヘッダかペイロードのいずれか一方におけるフィールドの値の中に明示的に含まれる。加えて、これらのインジケータのうちの１つ以上は、受信されたページング情報から暗黙的に推論され得る。アクセスノード３００中に配置されたＰＲＤデータ３４１は、例えば、一致基準情報、対応するページング情報、パラメータ、およびＰＲＤ機能性の提供に関連する動作状態を含む。いくつかの実施形態においては、受信されたページング情報中に含まれる１つ以上のインジケータは、対応するページング要件を決定するためにＰＲＤデータ３４１中に含まれる一致基準と比較される。決定された要件はその後、ページングを制御するためにＰＲＣ機能エンティティにより使用され得る。
【００３７】
いくつかの実施形態においては、ＰＲＤモジュール３４０は、ＰＲＣ機能エンティティ、例えば、同じアクセスノード３００中に配置されたまたは異なるネットワークノード中に配置されたＰＲＣモジュールに、決定された要件を通信する、例えば、決定された要件を示すページング要求信号またはページング要求メッセージを送信する。例えば、ページング要求メッセージ中の決定された要件を通信するいくつかの実施形態においては、決定された要件は、例えば、メッセージヘッダまたはペイロード中の１つ以上のフィールド中の値として伝達される。いくつかの実施形態においては、伝達された情報は、待機エンドノードへの配信用の受信されたページング情報の一部を含む。特定の要件は、個別のフィールド中で伝達することができ、または複数の要件は、１つの共通フィールド中に一括してエンコードすることができる。本発明のいくつかの実施形態は、ＰＲＤモジュールおよびＰＲＣモジュールが同じアクセスノード中に配置される場合に、例えば、共用メモリを介して、決定された要件情報を伝達する代替手段を使用し得る。
【００３８】
ＰＲＣモジュール３５０は、ＰＲＣ機能性をサポートするためにアクセスノード３００の動作を制御する。ＰＲＣモジュール３５０は、１つ以上のページングリソースを制御し、ページング動作を実行し（例えば、ページングリソースを割り当てる）、および／またはＰＲＤ機能エンティティによって決定されるように１つのページの要件に従ってページシグナリングを送信する。ＰＲＣモジュール３５０は、ＰＲＤ機能エンティティ、例えば、同じアクセスノード３００中に配置されたまたは異なるネットワークノード中に配置されたＰＲＤモジュールにより決定されるようなページング要件の指示を受信する。ＰＲＣモジュール３５０は、ＰＲＤ機能エンティティから伝達された決定された要件を解釈し、ページング動作および／またはシグナリングを制御するためにその決定された要件を用いる。アクセスノード３００中に配置されたＰＲＣデータ３５１は、例えば、ＰＲＣ機能性の提供に関連する情報、パラメータ、および動作状態を解析するページング要求メッセージを含む。いくつかの実施形態において、ＰＲＣモジュール３５０は、決定された要件に基づいて、１つ以上のページングリソース、例えば、ページ伝送リソースを割り当てる。様々な実施形態において、ＰＲＣモジュール３５０は、ページシグナリングを送信する、例えば、ページ要求信号、例えば、ＰＲＤ機能エンティティからのメッセージの受信に呼応してページを伝送する。ＰＲＣモジュール３５０は、ページングシステムデザインに従って、１つ以上の他のネットワークノードに向けてページシグナリングを送り出すことができる。
【００３９】
図２の典型的なアクセスノード３００は、ＭＡ、ＴＡ、ＡＰＡおよびＬＰＡ機能性も含む。ＭＡモジュール３１２、ＴＡモジュール３１４およびＡＰＡモジュール３１６は、ＰＲＤモジュール３４０中に含まれる一方で、ＬＰＡモジュール３１８は、ＰＲＣモジュール３５０に含まれる。対応して、ＭＡデータ３１３、ＴＡデータ３１５、およびＡＰＡデータ３１７は、ＰＲＤデータ３４１中に含まれる一方、ＬＰＡデータ３１９は、ＰＲＣデータ３５１に含まれる。
【００４０】
ＭＡモジュール３１２は、１つ以上の待機エンドノードについてＭＡ機能性をサポートするためにアクセスノード３００の動作を制御する。ＭＡモジュール３１２は、到来する信号、例えば、関連した待機エンドノード用のメッセージを遮断し、必要に応じてこれを格納し、対応するエンドノードについてページング手続が開始されるべきかどうかを決定する。いくつかの実施形態において、ＭＡは付加的にまたは代わりに、特定の待機エンドノードがページングされるべきであることを示す制御信号を受信する。ＭＡモジュール３１２は、関連した待機エンドノード用の他のネットワークノードからの受信された信号の遮断および処理、対応するエンドノードについてページ手続が開始されるべきであるかどうかを決定するための前記遮断された到来する信号の分類およびフィルタリング、ならびにページ手続を開始するためにＡＰＡモジュール３１６をトリガするために必要とされるようなそれに続く信号の送信を制御する。ＭＡデータ３１３は、例えば、エンドノード識別子、パラメータ、フィルタリング情報、および／または本明細書中で記載されるようなＭＡ機能性の提供に関連する他の情報を含む。ＭＡモジュール３１２は、ＭＡデータ３１３にアクセスおよび／またはこれを修正し得る。
【００４１】
トラッキングエージェントモジュール３１４は、１つ以上の待機エンドノードについてＴＡ機能性をサポートするためにアクセスノード３００動作を制御する。ＴＡモジュール３１４は、関連した待機エンドノードについて、ロケーション情報、例えば、ロケーション／ページングエリア、アクセスノード、セルおよび／またはセクタを維持し、前記情報を他のエンティティに提供する。エンドノードが待機している間、これはその対応するＴＡモジュールにロケーション更新要求信号を送信することができる。ロケーション更新要求信号の周波数およびＴＡにより維持されるロケーション情報の精度は、実施依存性である。ＴＡモジュール３１４は、受信されたロケーション更新要求信号の処理および対応するエンドノードロケーション情報の更新を制御し、特定の待機エンドノードに関連した例えば、現在のロケーション／ページングエリア、アクセスノード、セルおよび／またはセクタなどのロケーション情報を要求する他のエンティティ、例えば、他のネットワークノードまたはＡＰＡモジュール３１６のような他のモジュールから受信された信号の処理を制御し、ならびに確認または要求された情報を提供するために必要とされるような他のエンティティからの要求を受けてのその後の信号の送信を制御する。ＴＡデータ３１５は、例えば、エンドノードロケーション情報およびＴＡ機能性の提供に関連する他の情報を含む。ＴＡモジュール３１４は、ＴＡデータ３１５にアクセスおよび／またはこれを修正することができる。
【００４２】
ＡＰＡモジュール３１６は、待機エンドノードについてのＡＰＡ機能性をサポートするためにアクセスノード３００の動作を制御する。いくつかの実施形態において、ＡＰＡモジュール３１６は、待機エンドノードのページングと関連したロジックおよび制御を提供する。ＡＰＡモジュールは、他のエンティティ、例えば、他のネットワークノードまたはＭＡモジュール３１２のような他のモジュールから受信された、特定の待機エンドノードについてページ手続が開始されるべきであることを示すトリガ信号の処理を制御し、待機エンドノードのロケーションを決定するために必要とされるようなＴＡモジュール３１４とのシグナリングの交換を制御し、他のエンティティ、例えば、他のネットワークノードまたはＬＰＡモジュール３１８のような他のモジュールへのその後のページ要求信号の送信を制御し、ならびに任意の対応する応答信号の処理を制御する。ＡＰＡデータ３１７は、各待機エンドノードまたはエンドノードのクラスについてのページ手続自体に関する情報、例えば、他のノードへ送信されるページ要求信号の周波数、応答を待つ期間についてのタイムアウト値、万一タイムアウトになった時に着手する動作等を含む。ＡＰＡモジュール３１６は、ＡＰＡデータ３１７にアクセスおよび／またはこれを修正することができる。
【００４３】
ＬＰＡモジュール３１８は、待機エンドノードについてのＬＰＡ機能性をサポートするためにアクセスノード３００の動作を制御する。ＬＰＡモジュール３１８は、そのローカル範囲、例えば、一組の関連したアクセスノード／セル／セクタ内のページシグナリングおよびロケーショントラッキングシグナリングの調整をサポートする。ＬＰＡモジュール３１８は、例えば、同じアクセスノード中または何か他のネットワークノード中に配置されたＡＰＡモジュール３１６からの、特定の待機エンドノードについての受信されたページ要求信号の処理を制御し、例えば、ワイヤレス通信インターフェース３３０上での特定の待機エンドノードについてのページ信号の送信を制御し、任意のページ応答信号の受信、およびページ手続を開始したエンティティ、例えば、ＡＰＡモジュールへのページ応答信号の送信または中継を制御する。いくつかの実施形態においては、ＬＰＡモジュール３１８は、そのローカル範囲内の待機エンドノードと関連した受信されたロケーション更新の処理を制御し、エンティティ、例えば、特定の待機エンドノードについてのＴＡ機能性を提供するＴＡモジュールへのロケーション更新信号の送信または中継を制御し、ＴＡ機能性を提供するエンティティからのロケーション更新応答信号の受信、およびロケーション更新応答信号の送信または中継も制御する。ＬＰＡデータ３１９は、例えば、ページ信号の周波数、使用されるべきチャネル、タイムアウト期間のような、ページ手続の動作に関するエンドノード関連データを含む。ＬＰＡモジュール３１８は、ＬＰＡデータ３１９にアクセスおよび／またはこれを修正し得る。
【００４４】
図３は、本発明に従って実施される典型的なページングノード４００の詳細な例示を提供する。図３に図示される典型的なページングノード４００は、ページングノード、例えば、図１に図示される１０４、１３０として用い得る装置の詳細な表現である。図３の実施形態において、ページングノード４００は、バス４０６により連結されたプロセッサ４０４、ネットワーク／インターネットワークインタフェース４２０およびメモリー４１０を含む。従って、バス４０６を介して、ページングノード４００の様々な構成要素は、情報、信号およびデータを交換することができる。ページングノード４００の構成要素４０４、４０６、４１０、４２０は、ハウジング４０２内に配置される。
【００４５】
ネットワーク／インターネットワークインタフェース４２０は、ページングノード４００の内部構成要素が外部のデバイスおよびネットワークノードへ／から信号をそれにより送受信できる機構を提供する。ネットワーク／インターネットワークインタフェース４２０は、ページングノード４００を、例えば、銅線または光ファイバー線を介して、他のネットワークノードに連結するために用いられる受信機回路４２２および送信機回路４２４を含んでいる。
【００４６】
種々のモジュール、例えば、メモリー４１０中に含まれるルーチンの制御下にあるプロセッサ４０４は、以下で論じられるように種々のシグナリングおよび処理を実行するためにページングノード４００の動作を制御する。メモリー４１０中に含まれるモジュールは、起動時または他のモジュールにより呼び出された時に実行される。モジュールは、実行された時に、データ、情報、および信号を交換できる。モジュールは、実行された時に、データおよび情報を共用することもできる。図３の実施形態において、本発明のページングノード４００のメモリー４１０は、対応するＰＲＤデータ４４１を持つＰＲＤモジュール４４０および対応するＰＲＣデータ４５１を持つＰＲＣモジュール４５０を含む。ＰＲＤモジュール４４０は、ＭＡモジュール４１２、ＴＡモジュール４１４、ＡＰＡモジュール４１６を含むものとして図示されている一方、ＰＲＣモジュール４５０は、ＬＰＡモジュール４１８を含むものとして図示されている。これらのエージェントモジュールの各々に対応して、メモリー４１０は、ＭＡデータ４１３、ＴＡデータ４１５、ＡＰＡデータ４１７、およびＬＰＡデータ４１９も含む。
【００４７】
ＰＲＤモジュール４４０は、ＰＲＤ機能性をサポートするためにページングノード４００の動作を制御する。ＰＲＤモジュール４４０は、受信されたページング情報、例えば、特定の待機エンドノードがページングされるべきであることを示す受信されたデータメッセージまたは制御信号を分析し、対応するページの要件、例えば、ページング動作およびシグナリングを決定する。この要件決定ステップは、ページング情報に含まれるサービス品質インジケータ、タイプインジケータ、ソースインジケータおよび宛先インジケータのうちの少なくとも１つの関数である。いくつかの実施形態においては、これらのインジケータのうちの１つ以上は、受信されたページング情報、例えば、受信されたメッセージのヘッダかペイロードのいずれか一方におけるフィールドの値の中に明示的に含まれる。加えて、これらのインジケータのうちの１つ以上は、受信されたページング情報から暗黙的に推論され得る。ページングノード４００中に配置されたＰＲＤデータ４４１は、例えば、一致基準情報、対応するページング要件、パラメータ、およびＰＲＤ機能性の提供に関連する動作状態を含む。いくつかの実施形態においては、受信されたページング情報中に含まれる１つ以上のインジケータは、対応するページング要件を決定するためにＰＲＤデータ４４１中に含まれる一致基準と比較される。決定された要件はその後、ページングを制御するためにＰＲＣ機能エンティティにより使用され得る。
【００４８】
いくつかの実施形態において、ＰＲＤモジュール４４０は、ＰＲＣ機能エンティティ、例えば、同じページングノード４００中に配置または異なるネットワークノード中に配置されたＰＲＣモジュールに、決定された要件を通信する、例えば、決定された要件を示すページング要求信号またはページング要求メッセージを送信する。例えば、ページング要求メッセージ中の決定された要件を通信するいくつかの実施形態においては、決定された要件は、例えば、メッセージヘッダまたはペイロード中の１つ以上のフィールド中の値として伝達される。いくつかの実施形態においては、伝達された情報は、待機エンドノードへの配信用の受信されたページング情報の一部を含む。特定の要件は、個別のフィールド中で伝達することができ、または複数の要件は、１つの共通フィールド中に一括してエンコードすることができる。本発明のいくつかの実施形態は、ＰＲＤモジュールおよびＰＲＣモジュールが同じページングノード中に配置される場合に、例えば、共用メモリを介して、決定された要件情報を伝達する代替手段を使用し得る。
【００４９】
ＰＲＣモジュール４５０は、ＰＲＣ機能性をサポートするためにページングノード４００の動作を制御する。ＰＲＣモジュール４５０は、１つ以上のページングリソースを制御し、ページング動作を実行し（例えば、ページングリソースを割り当てる）、および／またはＰＲＤ機能エンティティによって決定されるように１つのページの要件に従ってページシグナリングを送信する。ＰＲＣモジュール４５０は、ＰＲＤ機能エンティティ、例えば、同じページングノード４００中に配置されたまたは異なるネットワークノード中に配置されたＰＲＤモジュールにより決定されるようなページング要件の指示を受信する。ＰＲＣモジュール４５０は、ＰＲＤ機能エンティティから伝達された決定された要件を解釈し、ページング動作および／またはシグナリングを制御するためにその決定された要件を用いる。ページングノード４００中に配置されたＰＲＣデータ４５１は、例えば、ＰＲＣ機能性の提供に関連する情報、パラメータ、および動作状態を解析するページング要求メッセージを含む。いくつかの実施形態において、ＰＲＣモジュール４５０は、決定された要件に基づいて、１つ以上のページングリソース、例えば、ページ伝送リソースを割り当てる。様々な実施形態において、ＰＲＣモジュール４５０は、ページシグナリングを送信する、例えば、ページ要求信号、例えば、ＰＲＤ機能エンティティからのメッセージの受信に呼応してページを伝送する。ＰＲＣモジュール４５０は、ページングシステムデザインに従って、１つ以上の他のネットワークノードに向けてページシグナリングを送り出すことができる。
【００５０】
図３の典型的なページングノード４００は、ＭＡ、ＴＡ、ＡＰＡおよびＬＰＡ機能性も含む。ＭＡモジュール４１２、ＴＡモジュール４１４およびＡＰＡモジュール４１６は、ＰＲＤモジュール４４０に含まれる一方、ＬＰＡモジュール４１８は、ＰＲＣモジュール４５０に含まれる。対応して、ＭＡデータ４１３、ＴＡデータ４１５、およびＡＰＡデータ４１７は、ＰＲＤデータ４４１に含まれる一方、ＬＰＡデータ４１９は、ＰＲＣデータ４５１に含まれる。
【００５１】
ＭＡモジュール４１２は、１つ以上の待機エンドノードについてＭＡ機能性をサポートするためにページングノード４００の動作を制御する。ＭＡモジュール４１２は、到来する信号、例えば、関連した待機エンドノード用のメッセージを遮断し、必要に応じてこれを格納し、対応するエンドノードについてページング手続が開始されるべきかどうかを決定する。いくつかの実施形態において、ＭＡは付加的にまたは代わりに、特定の待機エンドノードがページングされるべきであることを示す制御信号を受信する。ＭＡモジュール４１２は、関連した待機エンドノード用の他のネットワークノードからの受信された信号の遮断および処理を制御し、対応するエンドノードについてページ手続が開始されるべきかどうかを決定するための前記遮断された到来する信号の分類およびフィルタリングを制御し、ならびにページ手続を開始するためＡＰＡモジュール４１６をトリガするに必要とされるようなそれに続く信号の送信を制御する。ＭＡデータ４１３は、例えば、エンドノード識別子、パラメータ、フィルタリング情報、および／または本明細書中で記載されるようなＭＡ機能性の提供に関連する他の情報を含む。ＭＡモジュール４１２は、ＭＡデータ４１３にアクセスおよび／またはこれを修正し得る。
【００５２】
トラッキングエージェントモジュール４１４は、１つ以上の待機エンドノードについてＴＡ機能性をサポートするためにページングノード４００の動作を制御する。ＴＡモジュール４１４は、関連した待機エンドノードについて、ロケーション情報、例えば、ロケーション／ページングエリア、アクセスノード、セルおよび／またはセクタを維持すると共に、前記情報を他のエンティティに提供する。エンドノードが待機している間、これはその対応するＴＡモジュールにロケーション更新要求信号を送信することができる。ロケーション更新要求信号の周波数およびＴＡにより維持されるロケーション情報の精度は、実施依存性である。ＴＡモジュール４１４は、受信されたロケーション更新要求信号の処理および対応するエンドノードロケーション情報の更新を制御し、特定の待機エンドノードに関連した例えば、現在のロケーション／ページングエリア、アクセスノード、セルおよび／またはセクタなどのロケーション情報を要求する他のエンティティ、例えば、他のネットワークノードまたはＡＰＡモジュール４１６のような他のモジュールから受信された信号の処理を制御し、ならびに確認または要求された情報を提供するために必要とされるような他のエンティティからの要求を受けてのその後の信号の送信を制御する。ＴＡデータ４１５は、例えば、エンドノードロケーション情報およびＴＡ機能性の提供に関連する他の情報を含む。ＴＡモジュール４１４は、ＴＡデータ４１５にアクセスおよび／またはこれを修正することができる。
【００５３】
ＡＰＡモジュール４１６は、待機エンドノードについてのＡＰＡ機能性をサポートするためにページングノード４００の動作を制御する。いくつかの実施形態において、ＡＰＡモジュール４１６は、待機エンドノードのページングと関連したロジックおよび制御を提供する。ＡＰＡモジュールは、他のエンティティ、例えば、他のネットワークノードまたはＭＡモジュール４１２のような他のモジュールから受信された、特定の待機エンドノードについてページ手続が開始されるべきであることを示すトリガ信号の処理を制御し、待機エンドノードのロケーションを決定するに必要とされるようなＴＡモジュール４１４とのシグナリングの交換を制御し、他のエンティティ、例えば、他のネットワークノードまたはＬＰＡモジュール４１８のような他のモジュールへのその後のページ要求信号の送信を制御し、ならびに任意の対応する応答信号の処理を制御する。ＡＰＡデータ４１７は、各待機エンドノードまたはエンドノードのクラスについてのページ手続自体に関する情報、例えば、他のノードへ送信されるページ要求信号の周波数、応答を待つ期間についてのタイムアウト値、万一タイムアウトになった時に着手する動作等を含む。ＡＰＡモジュール４１６は、ＡＰＡデータ４１７にアクセスおよび／またはこれを修正することができる。
【００５４】
ＬＰＡモジュール４１８は、待機エンドノードについてのＬＰＡ機能性をサポートするためにページングノード４００の動作を制御する。ＬＰＡモジュール４１８は、そのローカル範囲内、例えば、一組の関連したアクセスノード／セル／セクタのページシグナリングおよびロケーショントラッキングシグナリングの調整をサポートする。ＬＰＡモジュール４１８は、例えば、同じページングノード中または何か他のネットワークノード中に配置されたＡＰＡモジュール４１６からの、特定の待機エンドノードについての受信されたページ要求信号の処理を制御し、特定の待機エンドノードについてのページ信号の送信を制御し、任意のページ応答信号の受信、およびページ手続を開始したエンティティ、例えば、ＡＰＡモジュールへのページ応答信号の送信または中継を制御する。いくつかの実施形態においては、ＬＰＡモジュール４１８は、そのローカル範囲内の待機エンドノードと関連した受信されたロケーション更新信号の処理を制御し、エンティティ、例えば、特定の待機エンドノードについてのＴＡ機能性を提供するＴＡモジュールへのロケーション更新信号の送信または中継を制御し、ＴＡ機能性を提供するエンティティからのロケーション更新応答信号の受信を制御し、およびロケーション更新応答信号の送信または中継も制御する。ＬＰＡデータ４１９は、例えば、ページ信号の周波数、使用されるべきチャネル、タイムアウト期間のような、ページ手続の動作に関するエンドノード関連データを含む。ＬＰＡモジュール４１８は、ＬＰＡデータ４１９にアクセスおよび／またはこれを修正し得る。
【００５５】
図４、図５、図６、図７および図８は、図１の典型的な通信システム１００の文脈において本発明の典型的な実施形態に従って実行されるシグナリングを例示する。図１と比較して、図４〜図８における例示は、物理的というよりも本質的に論理的なものであり、従って、典型的な通信システム１００中の関係のあるノードのサブセットのみが図示してあり、物理ノードおよびリンクの多くは省略されている。シグナリング、例えば、メッセージの配信が２つのノード、モジュールおよび／またはエンティティの間に示される場合、そのようなシグナリングは必要に応じ、例示されるシグナリングのソースおよび宛先を物理的に相互接続する中間ノード、リンク、バス等を介して伝達されると想定される。
【００５６】
図４は、本発明に従う典型的なシグナリング５００の詳細な例示を提供するものであり、ページング動作は、分散型ページングシステムデザインを有する通信システムにおいて実行され、ページングされるべき待機エンドノードについてのトラッキング情報は、その待機エンドノードが、ページング動作を開始する同じアクセスノード中に配置されたＬＰＡの範囲内にあることを示す。図４の例において、ページング動作に関連したＰＲＤ機能性およびＰＲＣ機能性双方は、同じアクセスノードにより実行される。図４の例には、本発明に従って実施された単一のアクセスノード３００が図示されている。図４のアクセスノード３００は、図２に図示される典型的なアクセスノード３００の簡略化表現である。図１の典型的な通信システム１００の文脈において、図４のアクセスノード３００は、例えば、図１に図示されたアクセスノード１４０を表すことができる。
【００５７】
図４の例示において、ページング動作は、ページング情報５０２、例えば、待機エンドノード向けのデータメッセージまたは待機エンドノードがページングされるべきであることを示す制御信号の受信時にアクセスノード３００により開始される。ＭＡモジュール３１２は、ページング情報５０２を遮断し、ページング動作が開始されるべきであることを決定する。ＰＲＤモジュール３４０は、開始されるべきページング動作の要件を決定するために、受信されたページング情報５０２をさらに分析する。本発明のいくつかの実施形態において、ＭＡモジュール３１２は、ＰＲＤモジュール３４０の一部として、開始されるべきページング動作の要件を決定するため、受信されたページング情報５０２をさらに分析する。ＰＲＤモジュール３４０によりなされる要件決定は、ページング情報５０２に含まれるサービス品質インジケータ、タイプインジケータ、ソースインジケータおよび宛先インジケータのうちの少なくとも１つの関数である。いくつかの実施形態において、要件決定は、ＰＲＤデータ３４１に含まれる構成および動作情報に部分的に基づく。特に、ＰＲＤデータ３４１は、いくつかの実施形態において、一致基準情報と、ＰＲＤモジュール３４０が特定のページング要件を決定できるように対応するページング要件情報とを含むことができ、例えば、ヘッダーフィールドに基づく伝統的なパケット分類手法を用いて、ＩＰデータグラムを特定の要件に一致させ得る。
【００５８】
待機エンドノードのページングを、受信されたページング情報５０２が保証すると決定すると、ＭＡモジュール３１２は、特定の待機エンドノードがページングされるべきであることを示すページトリガー信号５０４をＡＰＡモジュール３１６に送信する。ページトリガー信号５０４を受信し処理すると、ＡＰＡモジュール３１６は、ロケーション要求信号５０６をＴＡモジュール３１４に送信する。ＴＡモジュール３１４は、待機エンドノードと関連したロケーション情報を決定するためにその対応するＴＡデータ３１５にアクセスし、情報、例えば、ロケーション／ページングエリア、アクセスノード、セル、セクタおよび／または対応するＬＰＡを、ロケーション応答信号５０８中でＡＰＡモジュール３１６へ返す。待機エンドノードと関連したロケーション情報は、いくつかの実施形態において、待機エンドノードが配置され得る複数のロケーション／ページングエリア、アクセスノード、セル、セクタおよび／またはＬＰＡを示し得る。ロケーション情報が多数のそのようなエンティティを含む場合、種々のページングストラテジー、例えば、ブランケット、拡張リング、またはシーケンシャルを、待機エンドノードを探すために用い得る。
【００５９】
待機エンドノードと関連したロケーション情報を、例えば、ロケーション応答信号５０８を介して受信すると、ＡＰＡモジュール３１６は、ページ要求シグナリングが送られるべき１つ以上のアクセスノードまたはＬＰＡモジュールの組を決定する。図４の例において、（ＰＲＤモジュール３４０の）ＡＰＡモジュール３１６は、ページ要求信号５１０を（同じアクセスノード３００中に配置されたＰＲＣモジュール３５０の）ＬＰＡモジュール３１８に送信する。ページ要求信号５１０は、ページングされるべき待機エンドノードの指示を含み、いくつかの実施形態においては、ページ要求信号は、ＰＲＤモジュール３４０によって決定されたページング要件の指示も含む。図４の例において、ＰＲＤモジュール３４０およびＰＲＣモジュール３５０が同じアクセスノード３００中に配置されているので、決定されたページング要件は、いくつかの実施形態において、他の手段を介して、例えば、共用メモリーを通って伝達され得ることに留意されたい。
【００６０】
ＬＰＡモジュール３１８は、ページ要求信号５１０を受信し処理する。ＰＲＣモジュール３５０は、ＰＲＤモジュール３４０から伝達された決定された要件を解釈し、ページング動作および／または次のページシグナリングを制御するために、この決定された要件を用いる。いくつかの実施形態において、ＰＲＣモジュール３５０は、１つ以上のページングリソース、例えば、ページ伝送リソースを、受信されたページ要求信号５１０に対応する決定された要件に基づいて割り当てる。いくつかの実施形態において、ＰＲＣモジュール３５０は、１つ以上のＰＲＤモジュールから、例えば、１つ以上のアクセスノードおよび／またはページングノードから、ページ要求信号を受信し、いくつかの場合には、多数のページ要求を同時に保留にし得ることに留意されたい。そのような実施形態において、ＰＲＣモジュール３５０は、保留要求に対応する決定された要件の関数として、ページングリソースを割り当て、例えば、ページを伝送する。従って、例えば、ページング待ち時間が最小化されるべきであることを示す時間制約条件要件またはページング遅延に対する上限を持つ保留ページ要求は、より早く受信された他の保留要求に先がけてサービスされ得る。加えて、いくつかの実施形態において、複数のページング要求信号は、１つのグループ、例えば、共通のサービス品質インジケータを持つグループとして関連付けられ、１つ以上のページングリソースがそのグループに割り当てられ、例えば、ページングチャネル容量またはページング伝送機会の最小フラクションが、そのグループと関連付けられたページ要求について割り当てられる。図４の例において、ＬＰＡモジュール３１８は、ＰＲＣモジュール３５０の一部として、ワイヤレス通信インタフェース３３０を介して、特定の待機エンドノードについてのページ要求信号５１２を送信する。
【００６１】
図５は、本発明に従う典型的なシグナリング６００の詳細な例示を提供するものであり、分散型ページングシステムデザインを有する通信システムにおいてページング動作が実行され、ページングされるべき待機エンドノードについてのトラッキング情報が、その待機エンドノードは、ページング動作を開始するアクセスノード以外のアクセスノード中に配置されたＬＰＡの範囲内にあることを示す。図５の例において、ページング動作と関連したＰＲＤ機能性は、第１のアクセスノードにより実行される一方、ページング動作と関連したＰＲＣ機能性は、第２のアクセスノードにより実行される。図５の例においては、本発明に従って実施された２つのアクセスノード３００、３００’が図示される。図５のアクセスノード３００、３００’の各々は、図２に図示される典型的なアクセスノード３００に従って実施されたアクセスノードの簡略化表現である。図１の典型的な通信システム１００の文脈において、図５の第１のアクセスノード３００は、例えば、図１に図示される第１のアクセスノード１４０とすることができる一方、図５の第２のアクセスノード３００’は、例えば、図１に図示される第２のアクセスノード１５０とすることができる。
【００６２】
図５の例示において、ページング動作は、ページング情報６０２、例えば、待機エンドノード向けのデータメッセージまたは待機エンドノードがページングされるべきであることを示す制御信号の受信時に第１のアクセスノード３００により開始される。ＭＡモジュール３１２は、ページング情報６０２を遮断し、ページング動作が開始されるべきであることを決定する。ＰＲＤモジュール３４０は、開始されるべきページング動作の要件を決定するために、受信されたページング情報６０２をさらに分析する。本発明のいくつかの実施形態において、ＭＡモジュール３１２は、ＰＲＤモジュール３４０の一部として、開始されるべきページング動作の要件を決定するために、受信されたページング情報６０２をさらに分析する。ＰＲＤモジュール３４０によりなされる要件決定は、ページング情報６０２に含まれるサービス品質インジケータ、タイプインジケータ、ソースインジケータおよび宛先インジケータのうちの少なくとも１つの関数である。いくつかの実施形態において、要件決定は、ＰＲＤデータ３４１に含まれる構成および動作情報に部分的に基づく。特に、ＰＲＤデータ３４１は、いくつかの実施形態において、一致基準情報と、ＰＲＤモジュール３４０が特定のページング要件を決定できるように対応するページング要件情報とを含むことができ、例えば、ヘッダーフィールドに基づく伝統的なパケット分類手法を用いて、ＩＰデータグラムを特定の要件に一致させ得る。
【００６３】
待機エンドノードのページングを、受信されたページング情報６０２が保証すると決定すると、ＭＡモジュール３１２は、特定の待機エンドノードがページングされるべきであることを示すページトリガー信号６０４をＡＰＡモジュール３１６に送信する。ページトリガー信号６０４を受信し処理すると、ＡＰＡモジュール３１６は、ロケーション要求信号６０６をＴＡモジュール３１４に送信する。ＴＡモジュール３１４は、待機エンドノードと関連したロケーション情報を決定するためにその対応するＴＡデータ３１５にアクセスし、情報、例えば、ロケーション／ページングエリア、アクセスノード、セル、セクタおよび／または対応するＬＰＡを、ロケーション応答信号６０８中でＡＰＡモジュール３１６へ返す。待機エンドノードと関連したロケーション情報は、いくつかの実施形態において、待機エンドノードが配置され得る複数のロケーション／ページングエリア、アクセスノード、セル、セクタおよび／またはＬＰＡを示し得る。ロケーション情報が多数のそのようなエンティティを含む場合、種々のページングストラテジー、例えば、ブランケット、拡張リング、またはシーケンシャルを、待機エンドノードを探すために用い得る。
【００６４】
待機エンドノードと関連したロケーション情報を、例えば、ロケーション応答信号６０８を介して受信すると、ＡＰＡモジュール３１６は、ページ要求シグナリングが送られるべき１つ以上のアクセスノードまたはＬＰＡモジュールの組を決定する。図５の例において、（第１のアクセスノード３００中に配置されたＰＲＤモジュール３４０の）ＡＰＡモジュール３１６は、ページ要求信号６１０を（第２のアクセスノード３００’中に配置されたＰＲＣモジュール３５０’の）ＬＰＡモジュール３１８’に送信する。ページ要求信号６１０は、ページングされるべき待機エンドノードの指示を含み、第１のアクセスノード３００中のＰＲＤモジュール３４０によって決定されたページング要件の指示も含む。
【００６５】
ＬＰＡモジュール３１８’は、ページ要求信号６１０を受信し処理する。第２のアクセスノード３００’中のＰＲＣモジュール３５０’は、第１のアクセスノード３００中のＰＲＤモジュール３４０から受信されたページ要求信号６１０中で示された決定された要件を解釈し、ページング動作および／または次のページシグナリングを制御するために、この決定された要件を用いる。いくつかの実施形態において、ＰＲＣモジュール３５０’は、１つ以上のページングリソース、例えば、ページ伝送リソースを、受信されたページ要求信号６１０に対応する決定された要件に基づいて割り当てる。いくつかの実施形態において、ＰＲＣモジュール３５０’は、１つ以上のＰＲＤモジュールから、例えば、１つ以上のアクセスノードおよび／またはページングノードから、ページ要求信号を受信し、いくつかの場合には、多数のページ要求を同時に保留にし得ることに留意されたい。そのような実施形態において、ＰＲＣモジュール３５０’は、保留要求に対応する決定された要件の関数として、ページングリソースを割り当て、例えば、ページを伝送する。従って、例えば、ページング待ち時間が最小化されるべきであることを示す時間制約条件要件またはページング遅延に対する上限を持つ保留ページ要求は、より早く受信された他の保留要求に先がけてサービスされ得る。加えて、いくつかの実施形態において、複数のページング要求信号は、１つのグループ、例えば、共通のサービス品質インジケータを持つグループとして関連付けられ、１つ以上のページングリソースがそのグループに割り当てられ、例えば、ページングチャネル容量またはページング伝送機会の最小フラクションが、そのグループと関連付けられたページ要求について割り当てられる。図５の例において、ＬＰＡモジュール３１８’は、ＰＲＣモジュール３５０’の一部として、ワイヤレス通信インタフェース３３０’を介して、特定の待機エンドノードについてのページ要求信号６１２を送信する。
【００６６】
図６は、本発明に従う典型的なシグナリング７００の詳細な例示を提供するものであり、ページング動作は、より集中化されたページングシステムデザインを有する通信システムにおいて実行される。ページング動作は、ページングノードにより開始され、ページングされるべき待機エンドノードについてのロケーショントラッキング情報は、その待機エンドノードが、任意のアクセスノード中に配置されたＬＰＡの範囲内にあることを示す。図６の例において、ページング動作と関連したＰＲＤ機能性は、ページングノードにより実行される一方、ページング動作と関連したＰＲＣ機能性は、アクセスノードにより実行される。図６の例は、ページングノード４００およびアクセスノード３００”を図示しており、これらの各々は、本発明に従って実施される。図６のページングノード４００は、図２に図示される典型的なページングノード４００の簡略化表現である。一方、図６のアクセスノード３００”は、図２に図示される典型的なアクセスノード３００に従って実施されるアクセスノードの簡略化表現である。図１の典型的な通信システム１００の文脈において、図６のページングノード４００は、例えば、図１に図示されるページングノード１０４とすることができ、図６のアクセスノード３００”は、例えば、図１に図示されるアクセスノード１５０とすることができる。
【００６７】
図６の例示において、ページング動作は、ページング情報７０２、例えば、待機エンドノード用のデータメッセージまたは待機エンドノードがページングされるべきであることを示す制御信号の受信時にページングノード４００により開始される。ＭＡモジュール４１２は、ページング情報７０２を遮断し、ページング動作が開始されるべきであることを決定する。ＰＲＤモジュール４４０は、開始されるべきページング動作の要件を決定するために、受信されたページング情報６０２をさらに分析する。本発明のいくつかの実施形態において、ＭＡモジュール４１２は、ＰＲＤモジュール４４０の一部として、開始されるべきページング動作の要件を決定するために、受信されたページング情報７０２をさらに分析する。ＰＲＤモジュール４４０によりなされる要件決定は、ページング情報７０２に含まれるサービス品質インジケータ、タイプインジケータ、ソースインジケータおよび宛先インジケータのうちの少なくとも１つの関数である。いくつかの実施形態において、要件決定は、ＰＲＤデータ４４１に含まれる構成および動作情報に部分的に基づく。特に、ＰＲＤデータ４４１は、いくつかの実施形態において、一致基準情報と、ＰＲＤモジュール４４０が特定のページング要件を決定できるように対応するページング要件情報とを含むことができ、例えば、ヘッダーフィールドに基づく伝統的なパケット分類手法を用いて、ＩＰデータグラムを特定の要件に一致させ得る。
【００６８】
待機エンドノードのページングを、受信されたページング情報７０２が保証すると決定すると、ＭＡモジュール４１２は、特定の待機エンドノードがページングされるべきであることを示すページトリガー信号７０４をＡＰＡモジュール４１６に送信する。ページトリガー信号７０４を受信し処理すると、ＡＰＡモジュール４１６は、ロケーション要求信号７０６をＴＡモジュール４１４に送信する。ＴＡモジュール４１４は、待機エンドノードと関連したロケーション情報を決定するためにその対応するＴＡデータ４１５にアクセスし、情報、例えば、ロケーション／ページングエリア、アクセスノード、セル、セクタおよび／または対応するＬＰＡを、ロケーション応答信号７０８中でＡＰＡモジュール４１６へ返す。待機エンドノードと関連したロケーション情報は、いくつかの実施形態において、待機エンドノードが配置され得る複数のロケーション／ページングエリア、アクセスノード、セル、セクタおよび／またはＬＰＡを示し得る。ロケーション情報が多数のそのようなエンティティを含む場合、種々のページングストラテジー、例えば、ブランケット、拡張リング、またはシーケンシャルを、待機エンドノードを探すために用い得る。
【００６９】
待機エンドノードと関連したロケーション情報を、例えば、ロケーション応答信号７０８を介して受信すると、ＡＰＡモジュール４１６は、ページ要求シグナリングが送られるべき１つ以上のアクセスノードまたはＬＰＡモジュールの組を決定する。図６の例において、（ページングノード４００中に配置されたＰＲＤモジュール４４０の）ＡＰＡモジュール４１６は、ページ要求信号７１０を（アクセスノード３００”中に配置されたＰＲＣモジュール３５０”の）ＬＰＡモジュール３１８”に送信する。ページ要求信号７１０は、ページングされるべき待機エンドノードの指示を含み、ページングノード４００中のＰＲＤモジュール４４０によって決定されたページング要件の指示も含む。
【００７０】
ＬＰＡモジュール３１８”は、ページ要求信号７１０を受信し処理する。アクセスノード３００”中のＰＲＣモジュール３５０”は、ページングノード４００中のＰＲＤモジュール４４０から受信されたページ要求信号７１０中で示された決定された要件を解釈し、ページング動作および／または次のページシグナリングを制御するために、この決定された要件を用いる。いくつかの実施形態において、ＰＲＣモジュール３５０”は、１つ以上のページングリソース、例えば、ページ伝送リソースを、受信されたページ要求信号７１０に対応する決定された要件に基づいて割り当てる。いくつかの実施形態において、ＰＲＣモジュール３５０”は、１つ以上のＰＲＤモジュールから、例えば、１つ以上のアクセスノードおよび／またはページングノードから、ページ要求信号を受信し、いくつかの場合には、多数のページ要求を同時に保留にし得ることに留意されたい。そのような実施形態において、ＰＲＣモジュール３５０”は、保留要求に対応する決定された要件の関数として、ページングリソースを割り当て、例えば、ページを伝送する。従って、例えば、ページング待ち時間が最小化されるべきであることを示す時間制約条件要件またはページング遅延に対する上限を持つ保留ページ要求は、より早く受信された他の保留要求に先がけてサービスされ得る。加えて、いくつかの実施形態において、複数のページング要求信号は、１つのグループ、例えば、共通のサービス品質インジケータを持つグループとして関連付けられ、１つ以上のページングリソースがそのグループに割り当てられ、例えば、ページングチャネル容量またはページング伝送機会の最小フラクションが、そのグループと関連付けられたページ要求について割り当てられる。図６の例において、ＬＰＡモジュール３１８”は、ＰＲＣモジュール３５０”の一部として、ワイヤレス通信インタフェース３３０”を介して、特定の待機エンドノードについてのページ要求信号７１２を送信する。
【００７１】
図７は、本発明に従う典型的なシグナリング８００の詳細な例示を提供するものであり、ページング動作は、より集中化されたページングシステムデザインを有する通信システムにおいて実行され、ページング動作は、異なる技術を有する通信システムの部分間のページングを含む。ページング動作は、第１のページングノードにより開始され、ページングされるべき待機エンドノードについてのロケーショントラッキング情報は、その待機エンドノードが、第２のページングノード中に配置されたＬＰＡの範囲内にあることを示し、この第２のページングノードの範囲は、第１のページングノードの技術とは異なる技術を有するアクセスノードを含む。図７の例において、ページング動作と関連したＰＲＤ機能性は、第１のページングノードにより実行され、ページング動作と関連したＰＲＣ機能性は、第２のページングノードにより実行される。図７の例は、本発明に従って実施される２つのページングノード４００、４００’、および複数のアクセスノード８３４、８３６、８３８を図示している。図７のページングノード４００、４００’の各々は、図２に図示される典型的なページングノードの簡略化表現である。図１の典型的な通信システム１００の文脈において、図７の第１のページングノード４００は、例えば、図１に図示される第１のページングノード１０４とすることができ、図７の第２のページングノード４００’、例えば、図１に図示される第２のページングノード１３０とすることができ、図７の３つのアクセスノード８３４、８３６、８３８は、例えば、図１に図示される第２のページングノード１３０と同じ異なるネットワーク１６０中に含まれる３つのアクセスノード１３４、１３６、１３８とすることができる。
【００７２】
図７の例示において、ページング動作は、ページング情報８０２、例えば、待機エンドノード用のデータメッセージまたは待機エンドノードがページングされるべきであることを示す制御信号の受信時に第１のページングノード４００により開始される。ＭＡモジュール４１２は、ページング情報８０２を遮断し、ページング動作が開始されるべきであることを決定する。ＰＲＤモジュール４４０は、開始されるべきページング動作の要件を決定するために、受信されたページング情報８０２をさらに分析する。本発明のいくつかの実施形態において、ＭＡモジュール４１２は、ＰＲＤモジュール４４０の一部として、開始されるべきページング動作の要件を決定するために、受信されたページング情報８０２をさらに分析する。ＰＲＤモジュール４４０によりなされる要件決定は、ページング情報８０２に含まれるサービス品質インジケータ、タイプインジケータ、ソースインジケータおよび宛先インジケータのうちの少なくとも１つの関数である。いくつかの実施形態において、要件決定は、ＰＲＤデータ４４１に含まれる構成および動作情報に部分的に基づく。特に、ＰＲＤデータ４４１は、いくつかの実施形態において、一致基準情報と、ＰＲＤモジュール４４０が特定のページング要件を決定できるように対応するページング要件情報とを含むことができ、例えば、ヘッダーフィールドに基づく伝統的なパケット分類手法を用いて、ＩＰデータグラムを特定の要件に一致させ得る。
【００７３】
待機エンドノードのページングを、受信されたページング情報８０２が保証すると決定すると、ＭＡモジュール４１２は、特定の待機エンドノードがページングされるべきであることを示すページトリガー信号８０４をＡＰＡモジュール４１６に送信する。ページトリガー信号８０４を受信し処理すると、ＡＰＡモジュール４１６は、ロケーション要求信号８０６をＴＡモジュール４１４に送信する。ＴＡモジュール４１４は、待機エンドノードと関連したロケーション情報を決定するためにその対応するＴＡデータ４１５にアクセスし、情報、例えば、ロケーション／ページングエリア、アクセスノード、セル、セクタおよび／または対応するＬＰＡを、ロケーション応答信号８０８中でＡＰＡモジュール４１６へ返す。待機エンドノードと関連したロケーション情報は、いくつかの実施形態において、待機エンドノードが配置され得る複数のロケーション／ページングエリア、アクセスノード、セル、セクタおよび／またはＬＰＡを示し得る。ロケーション情報が多数のそのようなエンティティを含む場合、種々のページングストラテジー、例えば、ブランケット、拡張リング、またはシーケンシャルを、待機エンドノードを探すために用い得る。
【００７４】
待機エンドノードと関連したロケーション情報を、例えば、ロケーション応答信号８０８を介して受信すると、ＡＰＡモジュール４１６は、ページ要求シグナリングが送られるべき１つ以上のアクセスノードまたはＬＰＡモジュールの組を決定する。図７の例において、（第１のページングノード４００中に配置されたＰＲＤモジュール４４０の）ＡＰＡモジュール４１６は、ページ要求信号８１０を（第２のページングノード４００’中に配置されたＰＲＣモジュール４５０’の）ＬＰＡモジュール４１８’に送信する。ページ要求信号８１０は、ページングされるべき待機エンドノードの指示を含み、第１のページングノード４００中のＰＲＤモジュール４４０によって決定されたページング要件の指示も含む。
【００７５】
ＬＰＡモジュール４１８’は、ページ要求信号８１０を受信し処理する。第２のページングノード４００’中のＰＲＣモジュール４５０’は、第１のページングノード４００中のＰＲＤモジュール４４０から受信されたページ要求信号８１０中で示された決定された要件を解釈し、ページング動作および／または次のページシグナリングを制御するために、この決定された要件を用いる。いくつかの実施形態において、ＰＲＣモジュール４５０’は、１つ以上のページングリソース、例えば、ページ伝送リソースを、受信されたページ要求信号８１０に対応する決定された要件に基づいて割り当てる。いくつかの実施形態において、ＰＲＣモジュール４５０’は、１つ以上のＰＲＤモジュールから、例えば、１つ以上のアクセスノードおよび／またはページングノードから、ページ要求信号を受信し、いくつかの場合には、多数のページ要求を同時に保留にし得ることに留意されたい。そのような実施形態において、ＰＲＣモジュール４５０’は、保留要求に対応する決定された要件の関数として、ページングリソースを割り当て、例えば、ページを伝送する。従って、例えば、ページング待ち時間が最小化されるべきであることを示す時間制約条件要件またはページング遅延に対する上限を持つ保留ページ要求は、より早く受信された他の保留要求に先がけてサービスされ得る。加えて、いくつかの実施形態において、複数のページング要求信号は、１つのグループ、例えば、共通のサービス品質インジケータを持つグループとして関連付けられ、１つ以上のページングリソースがそのグループに割り当てられ、例えば、ページングチャネル容量またはページング伝送機会の最小フラクションが、そのグループと関連付けられたページ要求について割り当てられる。
【００７６】
図７の例において、ＬＰＡモジュール４１８’は、ＰＲＣモジュール４５０’の一部として、特定の待機エンドノードについてのページ要求信号８１２、８１４、８１６を複数のアクセスノード８３４、８３６、８３８に送信する。アクセスノード８３４、８３６、８３８の各々は、それぞれのセル中の対応するページ信号８１８、８２０、８２２を、そのワイヤレスインターフェースを介して送信する。この例においては、アクセスノード８３４、８３６、８３８により実行されるページング動作およびシグナリングは、第２のページングノード４００’に配置されるＰＲＣモジュール４５０’により本質的に制御されることに留意されたい。
【００７７】
図８は、本発明に従う典型的なシグナリング９００の詳細な例示を提供するものであり、ページング動作は、集中化ページングシステムデザインを有する通信システムにおいて実行され、ページングされるべき待機エンドノードについてのトラッキング情報は、その待機エンドノードが、ページング動作を開始する同じページングノード中に配置されたＬＰＡの範囲内にあることを示す。図８の例において、ページング動作に関連したＰＲＤ機能性およびＰＲＣ機能性双方は、同じページングノードにより実行される。図８の例には、本発明に従って実施された単一のページングノード４００”が単一のアクセスノード９５０を有して図示されている。図８のページングノード４００”は、図３に図示される典型的なページングノード４００に従って実施されたページングノードの簡略化表現である。図１の典型的な通信システム１００の文脈において、図８のページングノード４００”は、例えば、図１に図示されるページングノード１０４を表すことができる。
【００７８】
図８の例示において、ページング動作は、ページング情報９０２、例えば、待機エンドノード向けのデータメッセージまたは待機エンドノードがページングされるべきであることを示す制御信号の受信時にページングノード４００”により開始される。ＭＡモジュール４１２”は、ページング情報９０２を遮断し、ページング動作が開始されるべきであることを決定する。ＰＲＤモジュール４４０”は、開始されるべきページング動作の要件を決定するために、受信されたページング情報９０２をさらに分析する。本発明のいくつかの実施形態において、ＭＡモジュール４１２”は、ＰＲＤモジュール４４０”の一部として、開始されるべきページング動作の要件を決定するために、受信されたページング情報９０２をさらに分析する。ＰＲＤモジュール４４０”によりなされる要件決定は、ページング情報９０２に含まれるサービス品質インジケータ、タイプインジケータ、ソースインジケータおよび宛先インジケータのうちの少なくとも１つの関数である。いくつかの実施形態において、要件決定は、ＰＲＤデータ４４１”に含まれる構成および動作情報に部分的に基づく。特に、ＰＲＤデータ４４１”は、いくつかの実施形態において、一致基準情報と、ＰＲＤモジュール４４０”が特定のページング要件を決定できるように対応するページング要件情報とを含むことができ、例えば、ヘッダーフィールドに基づく伝統的なパケット分類手法を用いて、ＩＰデータグラムを特定の要件に一致させ得る。
【００７９】
待機エンドノードのページングを、受信されたページング情報９０２が保証すると決定すると、ＭＡモジュール４１２”は、特定の待機エンドノードがページングされるべきであることを示すページトリガー信号９０４をＡＰＡモジュール４１６”に送信する。ページトリガー信号９０４を受信し処理すると、ＡＰＡモジュール４１６”は、ロケーション要求信号９０６をＴＡモジュール４１４”に送信する。ＴＡモジュール４１４”は、待機エンドノードと関連したロケーション情報を決定するためにその対応するＴＡデータ４１５”にアクセスし、情報、例えば、ロケーション／ページングエリア、アクセスノード、セル、セクタおよび／または対応するＬＰＡを、ロケーション応答信号９０８中でＡＰＡモジュール４１６”へ返す。待機エンドノードと関連したロケーション情報は、いくつかの実施形態において、待機エンドノードが配置され得る複数のロケーション／ページングエリア、アクセスノード、セル、セクタおよび／またはＬＰＡを示し得る。ロケーション情報が多数のそのようなエンティティを含む場合、種々のページングストラテジー、例えば、ブランケット、拡張リング、またはシーケンシャルを、待機エンドノードを探すために用い得る。
【００８０】
待機エンドノードと関連したロケーション情報を、例えば、ロケーション応答信号９０８を介して受信すると、ＡＰＡモジュール４１６”は、ページ要求シグナリングが送られるべき１つ以上のアクセスノードまたはＬＰＡモジュールの組を決定する。図８の例において、（ＰＲＤモジュール４４０”の）ＡＰＡモジュール４１６”は、ページ要求信号９１０を（同じページングノード４００”中に配置されたＰＲＣモジュール４５０”の）ＬＰＡモジュール４１８”に送信する。ページ要求信号９１０は、ページングされるべき待機エンドノードの指示を含み、いくつかの実施形態においては、ページ要求信号は、ＰＲＤモジュール４４０”によって決定されたページング要件の指示も含む。図８の例において、ＰＲＤモジュール４４０”およびＰＲＣモジュール４５０”が同じページングノード４００”中に配置されるので、決定されたページング要件は、いくつかの実施形態において、他の手段、例えば、共用メモリーを通って伝達され得ることに留意されたい。
【００８１】
ＬＰＡモジュール４１８”は、ページ要求信号９１０を受信し処理する。ＰＲＣモジュール４５０”は、ＰＲＤモジュール４４０”から伝達された決定された要件を解釈し、ページング動作および／または次のページシグナリングを制御するために、この決定された要件を用いる。いくつかの実施形態において、ＰＲＣモジュール４５０”は、１つ以上のページングリソース、例えば、ページ伝送リソースを、受信されたページ要求信号９１０に対応する決定された要件に基づいて割り当てる。いくつかの実施形態において、ＰＲＣモジュール４５０”は、１つ以上のＰＲＤモジュールから、例えば、１つ以上のアクセスノードおよび／またはページングノードから、ページ要求信号を受信し、いくつかの場合には、多数のページ要求を同時に保留にし得ることに留意されたい。そのような実施形態において、ＰＲＣモジュール４５０”は、保留要求に対応する決定された要件の関数として、ページングリソースを割り当て、例えば、ページを伝送する。従って、例えば、ページング待ち時間が最小化されるべきであることを示す時間制約条件要件またはページング遅延に対する上限を持つ保留ページ要求は、より早く受信された他の保留要求に先がけてサービスされ得る。加えて、いくつかの実施形態において、複数のページング要求信号は、１つのグループ、例えば、共通のサービス品質インジケータを持つグループとして関連付けられ、１つ以上のページングリソースがそのグループに割り当てられ、例えば、ページングチャネル容量またはページング伝送機会の最小フラクションが、そのグループと関連付けられたページ要求について割り当てられる。
【００８２】
図８の例において、ＬＰＡモジュール４１８”は、ＰＲＣモジュール４５０”の一部として、特定の待機エンドノードについてのページ要求信号９１２をアクセスノード９５０に送信する。アクセスノード９５０は、それぞれのセル中の対応するページ信号９１４をそのワイヤレスインターフェースを介して送信する。この例においては、アクセスノード９５０により実行されるページング動作およびシグナリングは、ページングノード４００”中に配置されるＰＲＣモジュール４５０”により本質的に制御されることに留意されたい。
【００８３】
図９は、決定された要件をＰＲＤ機能エンティティからＰＲＣ機能エンティティへ伝達するために用い得るような、典型的なページング要求メッセージ２００を示す。図９のメッセージは、図４〜図８に例示されるような、ページング要求信号５１０、６１０、７１０、８１０、９１０の典型的な実施形態である。図９の実施形態は、情報を伝達するために用いられる複数のフィールドを示す。特に、図９の典型的なページング要求メッセージは、ソースフィールド２１０、宛先フィールド２２０、エンドノード識別子フィールド２３０、決定されたページング要件フィールド２４０およびページング情報フィールド２５０を含む。ソースフィールド２１０および宛先フィールド２２０は、例えば、ページング要求メッセージを意図されるＰＲＣ機能エンティティへ送るためおよび／または受信ＰＲＣ機能エンティティが、対応する応答メッセージを送信ＰＲＤ機能エンティティに返すことを可能にするために用いられる。エンドノード識別子フィールド２３０は、例えば、ページングされるべき待機エンドノードを示すために用いられる。決定されたページング要件フィールド２４０は、例えば、送信ＰＲＤ機能エンティティにより決定されるようなページング要件を示すために用いられる。ページング情報フィールド２５０は、例えば、その受信がページング動作の開始という結果になった、ＰＲＤ機能エンティティによって受信されたページング情報の一部を配信するために用いられる。
【００８４】
図９の例示は、本発明のいくつかの実施形態に従う、決定されたページング要件フィールド２４０に含まれる特定のサブフィールドも示す。特に、図９の典型的な決定されたページング要件フィールド２４０は、ページング確認要求サブフィールド２４１、例えば、フラッグ、ページング情報配信要求サブフィールド２４２、例えば、フラッグ、サービス品質要求サブフィールド２４３、最大ページング遅延サブフィールド２４４および再送数サブフィールド２４５を含む。ページング確認要求サブフィールド２４１は、例えば、ページの確認が必要であるかどうかを示す。確認が要求されない場合、エンドノードの受信は、ページ受信後に電力保存状態にとどまり得ることに留意されたい。ページング情報配信要求サブフィールド２４２は、例えば、ＰＲＣ機能エンティティが、ページング情報フィールド２５０の内容を、エンドノードに、例えば、伝送されたページ信号中で配信するべきであることを示す。サービス品質サブフィールド２４３は、例えば、対応するページについての要求されるサービス品質を示す。最大ページング遅延サブフィールド２４４は、例えば、対応するページについて許容できる遅延についての上限を示す。再送数サブフィールド２４５は、例えば、ページが再送されるべき回数を示す。いくつかの実施形態においては、このフィールドは、いくつかの予防的再送を示す一方、他の実施形態においては、このフィールドは、確認がない場合の最大再送数を示す。
【００８５】
図１０Ａ及び図１０Ｂは、本発明に従って実施される様々なページング方法のステップを示すフローチャート１０００を例示する。本発明のページング方法は、ノード１００２において開始し、ステップ１００４においてネットワークノードの初期化が行われる。ひとたび初期化が完了すると、ページングが可能であり、例えば、１つ以上の移動体ノードがページングされ得る。ステップ１００８において、第１のノードがページング情報１００６を受信する。ページング情報１００６は、例えば、ＩＰパケットとすることができ、そのペイロードは、ページング動作を開始することを意図されたページまたは制御信号として伝送されることを意図されている。このフローチャートにおいて、第１のノードは、ページング情報を受信するノードである。物理的実装次第では、これは、ネットワークのコア内のノードまたはエンドノードをネットワークに結合するために用いられるアクセスノードとすることができる。ステップ１００８において、第１のノードは、ページング要件を決定するために使用できるサービス品質インジケータ、タイプインジケータ、ソースインジケータおよび／または宛先インジケータを含むページング情報を受信するために動作される。ステップ１０１０において、第１のノードは、受信されたページング情報に含まれるサービス品質インジケータ、タイプインジケータ、ソースインジケータおよび宛先インジケータのうちの少なくとも１つからページング要件を決定するために動作される。動作は、ステップ１０１０から、物理的実装に応じてステップ１０１２、１０１９および１０２８（フローチャートコネクタ１０２６を介して）のうちの１つに進む。ステップ１０１２で始まる第１のパスは、第１のノードが、例えば、ページング要件を決定し、次いで、受信されたページング情報１０２６に対応するページを実際に伝送するアクセスノードである場合に対応する。ステップ１０１９で始まる第２のパスは、第１のノードが、例えば、ページング要件を決定しページングリソースを割り当てるコアノードである場合に対応する。第２の処理パスにおいて、第１のノードは次に、割り当てられたリソースを用いてページを伝送するために、別のノード、例えば、アクセスノードに頼る。割り当てられたリソースは、例えば、帯域幅、周波数、伝送時間スロット、伝送パワー等であり得る。第３の処理パスは、第１のノードが、例えば、ページング要求メッセージを生成し、決定されたページング要件を含むメッセージを、別のノード、例えば、ページング伝送リソースの割り当ておよび受信されたページング情報１００６に対応するページの伝送を担当するノードに伝送するコアまたはアクセスノードである場合に対応する。
【００８６】
第１のノードが、例えば、アクセスノードである実施形態に対応する第１の処理パスが始まるステップ１０１２において、第１のノードは、決定されたページング要件の関数としてページを伝送することにページング伝送リソースを割り当てるために動作される。ページング要件が伝送遅延、例えば、最大待ち時間を伴えば、アクセスノードは、第１のページをスケジューリングする際に、このことを考慮に入れる。ページング要件が、ページを伝送するために用いられることになる伝送パワーレベルまたは周波数であると仮定して、アクセスノードは、要求されるパワーおよび／または周波数を、ページング情報１００６に対応するページを伝送するために割り当てる。次に、ステップ１０１４において、第１のノードは、ページング情報に対応するページを生成する。このステップは、いくつかの実施形態において、ページング情報１００６の少なくとも一部分をページに組み込むことを含み、いくつかの場合には、ページが送り出されるデバイスがページの受信後に動作することになるデバイス動作の状態を示す情報を含む。デバイス動作状態についての情報は、移動体が、全開またはスリープ状態ではなく、複数の状態のうちの１つ、例えば、保留状態で動作すべきであることを示し得る。いくつかの場合には、保留状態は、移動体がデータは受信できるがデータは伝送できない低パワー状態である。
【００８７】
動作は、ステップ１０１４から、生成されたページが伝送されるステップ１０１６に進む。反復伝送または確認シグナリングを全く仮定しないと、受信されたページング情報１００６の処理に関する動作は完了しており、ページング情報１００６の特定の組に関連する処理はステップ１０１８において停止する。
【００８８】
第２の処理パスは、第１のノード、例えば、コアノードが、決定された要件に従うページングリソースの割り当てを担当するが、別のノード、例えば、アクセスノードであり得る第２のノードがページの伝送を担当する場合に対応する。ステップ１０１９において、第１のノードは、決定されたページング要件の関数としてページング伝送リソースをページの伝送に割り当てるために動作される。次にステップ１０２０において、第１のノードは、前記受信されたページング情報１００６に対応するページの伝送における使用へのページング伝送リソースの割り当てを示すページング信号を生成するために動作される。ページングリソースの割り当ては、ステップ１０１０において決定されたページ要件に従って実行される。生成されたページング信号は、ステップ１０２２において、第２のノード、例えば、ステップ１０２４においてページング信号中で指定され割り当てられたページングリソースを用いてページング情報１００６に対応するページを伝送するアクセスノードに伝達される。反復伝送または確認シグナリングを全く仮定しないと、受信されたページング情報１００６およびページの伝送の処理に関する動作は完了しており、ページング情報１００６の特定の組に関連する処理はステップ１０１８において停止する。
【００８９】
第３の処理パスは、ステップ１０２８から始まる。処理は、ステップ１０１０からステップ１０２８に、フローチャート接続要素１０２６を介して進む。この処理パスは、本発明に従ってページング要件情報を伝える新たなページング要求メッセージが用いられる場合に対応する。ステップ１０２８において、第１のノードは、決定されたページング要件を考慮に入れて発明に従ってページング要求メッセージを生成する。いくつかの実施形態において、ページング要求メッセージは、メッセージソースおよび宛先識別子に加えて、１つ以上の決定されたページング要件を含む。ページングメッセージは、ページが送信されることになる移動体ノードを識別するページ宛先識別子を含み得る。いくつかの実施形態において、ページング要求メッセージは、ページング情報１００６の一部分、例えば、１つのページのペイロードとして用いられることを意図された情報を含む。前に論じられたように、メッセージ中に含まれるページング要件情報は、広範囲のページ要件のうちの１つとすることができる。様々な実施形態において、ページング要求メッセージ中の決定されたページング要件情報は、１）受信されたページング情報の一部分がページのボディ部に含まれること、２）ページが確認されること、および／または３）サービス品質を示す。サービス品質要件としては、例えば、ページング伝送時間制約条件、複数の様々なサービス品質レベルの１つ、ページが複数回伝送されるべきであること、ページが最初に伝送されるべき地理的領域（例えば、セルまたはセルのグループ）および／またはページの再送が、ページが受信されたことを示す確認が受信されない場合に少なくとも１回生じることになっていることが含まれる。ステップ１０２８から、動作はステップ１０３０に進み、そこでは、生成されたページング要求メッセージが第２のノード、例えば、ページを伝送するアクセスノードに伝送される。
【００９０】
ステップ１０３２において、ページング要求メッセージを受信する第２のノードは、そのページング要求メッセージがページングリソース割り当て情報、例えば、１つ以上のページへのページングリソースの割り当てを制御する情報を含んでいたかどうかを決定する。リソース割り当て情報がページング要求メッセージ中に含まれていれば、動作は、ステップ１０３２からステップ１０３４へ進む。
【００９１】
ステップ１０３４において、第２のノードは、受信されたページング要求メッセージに含まれるリソース割り当て情報（例えば、命令）に従ってページングリソースを割り当てる。例えば、特定のページングリソースのフラクション、例えば、ページ伝送時間スロット数は、ページング要求メッセージ中に含まれる割り当て情報の通りに、第２のノードにより、特定のサービス品質レベルを有するページに割り当てられ得る。受信されたページング要求メッセージの内容に従ってひとたびページングリソースが割り当てられると、動作はステップ１０３４から接続要素１０３６を介してステップ１０３８へ進む。ページング要求メッセージがページングリソース割り当て情報を含まない場合には、動作はステップ１０３２からステップ１０３８へ直接進む。
【００９２】
ステップ１０３８において、第２のノードは、ページング要求メッセージに従って初期ページを生成するために動作される。次いで、ステップ１０４０において、ページが伝送される。次に、ステップ１０４２において、例えば、ページの確認が万一受信されない場合、ページング要求メッセージが再送要件を含んでいたかどうかについて決定がなされる。再送要件が全く存在しなければ、受信されたページング情報１００６に関する処理は、ステップ１０４８において停止する。しかしながら、再送要件が存在すれば、動作はステップ１０４２からステップ１０４４に進む。ステップ１０４４において、確認が受信されたかどうかについて決定がなされる。確認が全く受信されなかったのであれば、ページはステップ１０４６において再送される。再送は、初期ページが伝送されたエリアよりも大きい地理的エリアへ行われ得る。この再送エリアは、初期ページングエリアのように、時には、ページング要求メッセージ中で、そのメッセージ中に含まれる様々なページング要件の１つとして指定され得る。
【００９３】
受信された確認の場合、動作は、再送ステップ１０４６からまたは確認ステップ１０４４からステップ１０４８に進み、そこで受信されたページング情報１００６に関する処理は停止する。ページング情報１００６の特定の組の処理がステップ１０４８で停止する一方で、第１のノードはページング情報１００６の付加的な組の受信および処理をある期間にわたって継続することが理解されるべきである。
【００９４】
本発明のいくつかの実施形態において、ノード間の通信は完全に、または部分的に、インターネットプロトコル（ＩＰ）に基づく。従って、ネットワークノード間のデータおよび／または制御シグナリング双方の通信は、ＩＰパケット、例えば、データグラムを用い得る。ＩＰパケットを利用する本発明の実施形態において、前記ＩＰパケットは、ユニキャストかマルチキャストアドレッシングおよび配信機構を用いて、意図された宛先ノードに配信され得る。ＩＰマルチキャストの使用は、同じ情報が１つのノードから複数の他のノードに送信される場合に特に有用である。本発明のいくつかの実施形態において、ＩＰマルチキャストは、複数のノード、例えば、一組のアクセスノード、ＬＰＡまたはＰＲＣ機能エンティティを目標とするＡＰＡまたはＰＲＤ機能エンティティから送信されるページ要求信号の配信に用いられる。同じ情報、例えば、パケットペイロードデータがユニキャスト配信を用いて複数の目標とされるノードへ送信される場合、情報のコピーを持つ別個のＩＰパケットが、ソースノードにより各目標とされるノードに送られる。また、同じ情報が、マルチキャスト配信を用いて、目標とされる複数のノードに送られる場合、情報を持つ単一のＩＰパケットがソースノードにより送信され、目標とされる各ノードへの配信の必要に応じてネットワークノードがそのパケットを複製する。従って、ＩＰマルチキャストは、ソースノードから宛先ノードのグループへ情報を配信するより効率的な方法を提供する。
【００９５】
本発明の様々な特徴は、モジュールを用いて実施される。そのようなモジュールは、ソフトウェア、ハードウェアまたはソフトウェアとハードウェアとの組み合わせを用いて実施され得る。前述の方法または方法ステップの多くは、機械、例えば、付加的ハードウェアを持つまたは持たない汎用コンピュータを制御し、上述の方法の全部または部分を実施するために、メモリーデバイス、例えば、ＲＡＭ、フロッピー（登録商標）ディスク等のような機械可読媒体に含まれるソフトウェアのような機械実行可能命令を用いて実施し得る。従って、とりわけ、本発明は、機械、例えば、プロセッサおよび関連したハードウェアに上述の方法の１つ以上のステップを実行させるための機械可読命令を含む機械可読媒体に関する。
【００９６】
上述の本発明の方法および装置に関する多くの付加的な変型は、本発明の上記の説明を考慮することにより、当業者にとり明白になるであろう。そのような変型は、本発明の範囲内にあるものと見なされるべきである。本発明の方法および装置は、様々な実施形態において、符号分割多重接続（ＣＤＭＡ）、直交波周波数分割多重（ＯＦＤＭ）、またはアクセスノードと移動体ノードとの間のワイヤレス通信リンクを提供するために使用し得る種々の他のタイプの通信技法と共に使用し得る。いくつかの実施形態において、アクセスノードは、ＯＦＤＭおよび／またはＣＤＭＡを用いて移動体ノードとの通信リンクを確立する基地局として実施される。種々の実施形態において、移動体ノードは、本発明の方法を実施するための受信機／送信機回路とロジックおよび／またはルーチンとを含むノートブックコンピュータ、パーソナルデータアシスタント（ＰＤＡ）、または他のポータブルデバイスとして実施される。
【図面の簡単な説明】
【００９７】
【図１】本発明の方法に従い、本発明の方法を用いて実施される典型的な通信システムのネットワーク図を例示する。
【図２】本発明に従って実施される典型的なアクセスノードを例示する。
【図３】本発明に従って実施される典型的なページングノードを例示する。
【図４】ページング情報がアクセスノードにより受信され、ページ信号が同じアクセスノードにより送信される場合に、本発明の典型的な実施形態に従って実行されるシグナリングを例示する。
【図５】ページング情報が第１のアクセスノードにより受信され、ページング要求メッセージが第１のアクセスノードから第２のアクセスノードに送信され、ページ信号が第２のアクセスノードにより送信される場合に、本発明の典型的な実施形態に従って実行されるシグナリングを例示する。
【図６】ページング情報がページングノードにより受信され、ページング要求メッセージがページングノードからアクセスノードに送信され、ページ信号がアクセスノードにより送信される場合に、本発明の典型的な実施形態に従って実行されるシグナリングを例示する。
【図７】ページング情報が第１のページングノードにより受信され、ページング要求メッセージが第１のページングノードから第２のページングノードに送信され、ページ信号が第２のページングノードから複数のアクセスノードに送信され、各アクセスノードがページ信号を送信する場合に、本発明の典型的な実施形態に従って実行されるシグナリングを例示する。
【図８】ページング情報がページングノードにより受信され、ページ信号が同じページングノードからアクセスノードに送信され、ページ信号がアクセスノードにより送信される場合に、本発明の典型的な実施形態に従って実行されるシグナリングを例示する。
【図９】ページ要件情報を含む本発明のページ要求メッセージを例示する。
【図１０Ａ】図１０Ｂと組み合わせて、本発明の種々のページング方法に従って実施されるステップを例示する。
【図１０Ｂ】図１０Ａと組み合わせて、本発明の種々のページング方法に従って実施されるステップを例示する。
【符号の説明】
【００９８】
３０２  アクセスノード
３０４  プロセッサ
３１０  メモリー
３１２  モニタリングエージェントモジュール
３１３  モニタリングエージェントデータ
３１４  トラッキングエージェントモジュール
３１５  トラッキングエージェントデータ
３１６  アンカーページングエージェントモジュール
３１７  アンカーページングエージェントデータ
３１８  ローカルページングエージェントモジュール
３１９  ローカルページングエージェントデータ
３２０  ネットワーク／インターネットワークインターフェース
３２２  受信機回路
３２４  送信機回路
３３０  ワイヤレス通信インターフェース
３３２  受信機回路
３３４  送信機回路
３４０  ページング要件決定モジュール
３４１  ページング要件決定データ
３５０  ページングリソース制御モジュール
３５１  ページングリソース制御データ
【図１】
2006519557.tif 000003
【図２】
2006519557.tif 000004
【図３】
2006519557.tif 000005
【図４】
2006519557.tif 000006
【図５】
2006519557.tif 000007
【図６】
2006519557.tif 000008
【図７】
2006519557.tif 000009
【図８】
2006519557.tif 000010
【図９】
2006519557.tif 000011
【図１０】
2006519557.tif 000012
【図１０Ａ】
2006519557.tif 000013
【図１０Ｂ】
2006519557.tif 000014
【国際調査報告】
2006519557.tif 000015